(57)【要約】      （修正有）【課題】てこの力でチェンギアに強い回転力を伝えることが出来る長いクランクを設けた自転車の装置を提供する。【解決手段】湾曲したクランク２３を設けた長いクランク３を、チェンギア１２の外周に固定して設け、チェンギア１２の外周からチェンギア１２の中心軸に回転力を伝え、後輪のギアにチェン２５で回転力が伝わって自転車を走らせることが出来る。てこの力でチェンギア１２を回して自転車を走らせるために自転車に乗って坂道を楽に登ることが出来、長いクランク３の中間を軸に長いクランク２３が回るために、長いクランク３の長さを短くして使用出来る。【選択図】図９
0003225659.tif 000002
【実用新案登録請求の範囲】
【請求項１】
ペタル（１）に、ネジ（２）を設け、クランク（３）に湾曲をしたクランク（２３）と、力点のネジの穴（４）と、作用点のネジ止めの穴（６）と、支点のネジ止めの穴（７）と、作用点のネジ止めの穴（８）を設け、チェンギア（１２）に、シャフト取り付け穴（１３）と、作用点のネジの穴（１４）と、作用点のネジの穴（１５）と、支点のネジの穴（１６）を設け、クランク取り付けギア（１７）に、作用点のネジの穴（１８）と、シャフト取り付け穴（１９）と、支点のネジの穴（２０）と、作用点のネジの穴（２１）を設け、自転車のフレーム（５）に、シャフト取り付け穴（２２）と、後輪のギア（２４）と、タイヤ（２６）を設け、前記、自転車のフレーム（５）のシャフト取り付け穴（２２）にシャフト（１１）を通して、シャフト（１１）がフリー回転をするようにして設け、シャフト（１１）の片側の端にチェンギアのシャフト取り付け穴（１３）をはめて、チェンギア（１２）を固定して設け、反対のシャフト（１１）の端に、クランク取り付けギア（１７）のシャフト取り付け穴（１９）をはめて、シャフト（１１）にクランク取り付けギア（１７）を固定して設け、チェンギア（１２）の外周の作用点のネジの穴（１４）と、作用点のネジの穴（１５）と、支点のネジの穴（１６）にペタル（１）を設けたクランク（３）の湾曲をしたクランク（２３）を合わせて作用点のネジ止めの穴（６）と、支点のネジ止めの穴（７）と、作用点のネジ止めの穴（８）に、ネジ（９）と、ネジ（１０）と、ネジ（２７）を入れてネジを絞めて、チェンギア（１２）にペタル（１）を設けたクランク（３）を固定して設け、クランク取り付けギア（１７）の作用点のネジの穴（１８）と、支点のネジの穴（２０）と、作用点のネジの穴（２１）にペタル（１）を設けたクランク（３）の湾曲したクランク（２３）を合わせて、作用点のネジ止めの穴（６）と、支点のネジ止めの穴（７）と、作用点のネジ止めの穴（８）に、ネジ（９）と、ネジ（１０）と、ネジ（２７）を入れてネジを絞めて、クランク取り付けギア（１７）に、ペタル（１）を設けたクランク（３）を固定して設け、自転車のフレーム（５）に設けたクランク（３）同士は左右を正反対の方向に向けて設け、自転車のフレーム（５）の前に設けたチェンギア（１２）と、後輪のギア（２４）はチェン（２５）でつないで自転車は完成する。
以上のような構成の長いクランクを設けた自転車の装置。
【考案の詳細な説明】
【技術分野】
【０００１】  この考案は、チェンギアの中心軸を越えたチェンギアの外周の一端に湾曲したクランクの端を固定して設けて、支点と作用点の軸を作り、クランクがチェンギアの外周を回して、てこの力の強い回転力を自転車の前のギアから後輪のギアにチェンで伝えて自転車を走らせる長いクランクの装置に関するものである。
【背景技術】
【０００２】  従来の自転車のクランクは、チェンギアの中心軸を回してチェンギアの外周に回転力を伝えるために、てこの逆作用をおこしてペタルを踏む足に力の負担が大きくかかり、自転車に乗って坂道を登ることが出来ない欠点があった。
【考案が解決しようとする課題】
【０００３】  自転車のクランクを長く作ってクランクの端の一端を湾曲して作ったクランクをチェンギアの中心軸を越えたチェンギアの外周に固定して設けて、てこの支点と、作用点の軸を作り、ペタルを設ける力点のクランクの部分は長く作り、自転車の左右対称に設けたクランクのペタルを踏むと、長いクランクはチェンギアの外周に回転力を伝えてチェンギアの軸を回し、長いクランクは、クランクの中間を軸に回るために短くして使用出来、てこの力でチェンギアに力の強い回転力を伝えることの出来る自転車の長いクランクの研究をした。
【課題を解決するための手段】
【０００４】  ペタル（１）に、ネジ（２）を設け、クランク（３）の一端に湾曲をしたクランク（２３）を設け、クランク（３）の端に力点のネジ穴（４）と、湾曲をしたクランク（２３）に作用点のネジ止めの穴（６）と、支点のネジ止めの穴（７）と、作用点のネジ止めの穴（８）を設け、チェンギア（１２）にシャフト取り付け穴（１３）と、作用点のネジの穴（１４）と、作用点のネジの穴（１５）と、支点のネジの穴（１６）を設け、クランク取り付けギア（１７）の一端に作用点のネジの穴（１８）と、シャフト取り付け穴（１９）と、支点のネジの穴（２０）と、作用点のネジの穴（２１）を設け、自転車のフレーム（５）の一端に、シャフト取り付け穴（２２）と、後輪のギア（２４）と、タイヤ（２６）を設け、自転車のフレーム（５）に設けたシャフト取り付け穴（２２）にシャフト（１１）を通して設けて、シャフト（１１）がシャフト取り付け穴（２２）の中でフリー回転をするようにして設け、片側のシャフト（１１）の端にチェンギア（１２）のシャフト取り付け穴（１３）をはめてシャフト（１１）にチェンギア（１２）を固定して設け、反対のシャフト（１１）の端に、クランク取り付けギア（１７）のシャフト取り付け穴（１９）をはめて、シャフト（１１）にクランク取り付けギア（１７）を固定して設け、チェンギア（１２）の作用点のネジの穴（１４）と、作用点のネジの穴（１５）と、支点のネジの穴（１６）にペタル（１）を設けたクランク（３）の湾曲をしたクランク（２３）の作用点のネジ止めの穴（６）と、支点のネジ止めの穴（７）と、作用点のネジ止めの穴（８）を合わせて支点のネジ（９）と、作用点のネジ（１０）と、作用点のネジ（２７）を入れて絞めて、チェンギア（１２）にペタル（１）を設けたクランク（３）を固定して設け、クランク取り付けギア（１７）の作用点のネジの穴（１８）と、支点のネジの穴（２０）と、作用点のネジの穴（２１）にペタル（１）を設けたクランク（３）の湾曲をしたクランク（２３）を合わせて、作用点のネジ止めの穴（６）と、支点のネジ止めの穴（７）と、作用点のネジ止めの穴（８）に支点のネジ（９）と、作用点のネジ（１０）と、作用点のネジ（２７）を入れてネジを絞めて、クランク取り付けギア（１７）にペタル（１）を設けたクランク（３）を固定して設け、自転車のフレーム（５）の前に設けたチェンギア（１２）と後輪のギア（２４）はチェン（２５）でつないで自転車は完成して走行が出来るようになる。
完成した自転車に乗ってペタル（１）を交互に踏むと、チェンギア（１２）の中心軸を越えてチェンギア（１２）に設けたクランク（３）の湾曲をしたクランク（２３）はチェンギア（１２）の外周を押して回し、チェン（２５）でつないだ後輪に回転力を伝えて自転車は走行することが出来、チェンギア（１２）の中心軸の穴（１３）を越えてチェンギアの外周に設けた長いクランク（３）はクランク（３）の中間を軸に回るために長いクランク（３）は小さく回転をして短く使用することが出来、チェンギア（１２）の中心軸を越えてチェンギア（１２）の外周の端に固定して設けた長いクランク（３）はてこの力でチェンギア（１２）の外周に力の強い回転力を伝えて、長いクランク（３）と、チェンギア（１２）は一緒にチェンギア（１２）に設けたシャフト（１１）を中心に回り、チェンギア（１２）と、後輪のギア（２４）はチェン（２５）が回転力を伝えて自転車は前に進めることが出来、自転車に乗って坂道を楽に登ることが出来る自転車の長いクランクの装置。
【考案の効果】
【０００５】  自転車に乗って坂道を楽に登ることが出来、ペタルを踏む足は力の負担が少なくて済み、長く作った自転車のクランクは、てこの力で力の強い回転力をチェンギアに伝えることが出来、チェンギア（１２）のシャフトの穴を越してチェンギアの外周にクランクの端を固定して設けた長いクランクは短く回転させて使うことが出来る。
（本考案は次のようなことが出来る）
【０００６】  クランク（３）の強度を強くするために、補強して湾曲したクランク（２３）にクランク（３）を支えるクランク（２８）を複数設けて使用することが出来、丸い形のチェンリングに、クランク（３）の湾曲したクランク（２３）を設けて使用することも出来、シャフト（１１）に支点の軸を設けてチェンギア（１２）の外周は作用点の軸を設けて真直したクランクをチェンギアに設けて使用することが出来る。
【図面の簡単な説明】
【０００７】
【図１】  側面図
【図２】  一部カットした正面図
【図３】  側面図
【図４】  側面図
【図５】  平面図
【図６】  一部カットした平面図
【図７】  正面図
【図８】  正面図
【図９】  正面図
【図１０】  正面図
【図１１】  側面図
【図１２】  正面図
【符号の説明】
【０００８】  １  ペタル
２  ネジ
３  一部カットしたクランク
４  力点のネジ穴
５  自転車のフレーム
６  作用点のネジ止めの穴
７  支点のネジ止めの穴
８  作用点のネジ止めの穴
９  支点のネジ
１０  作用点のネジ
１１  シャフト
１２  チェンギア
１３  シャフト取り付け穴
１４  作用点のネジの穴
１５  作用点のネジの穴
１６  支点のネジの穴
１７  クランク取り付けギア
１８  作用点のネジの穴
１９  シャフト取り付け穴
２０  支点のネジの穴
２１  作用点のネジの穴
２２  自転車のシャフト取り付け穴
２３  湾曲したクランク
２４  後輪のギア
２５  チェン
２６  タイヤ
２７  作用点のネジ
２８  補強のクランク
【図１】
0003225659.tif 000003
【図２】
0003225659.tif 000004
【図３】
0003225659.tif 000005
【図４】
0003225659.tif 000006
【図５】
0003225659.tif 000007
【図６】
0003225659.tif 000008
【図７】
0003225659.tif 000009
【図８】
0003225659.tif 000010
【図９】
0003225659.tif 000011
【図１０】
0003225659.tif 000012
【図１１】
0003225659.tif 000013
【図１２】
0003225659.tif 000014
【手続補正書】
【提出日】令和2年1月6日(2020.1.6)
【手続補正１】
【補正対象書類名】実用新案登録請求の範囲
【補正対象項目名】全文
【補正方法】変更
【補正の内容】
【実用新案登録請求の範囲】
【請求項１】
ペタル（１）に、ネジ（２）を設け、クランク（３）に湾曲をしたクランク（２３）と、力点のネジの穴（４）と、作用点のネジ止めの穴（６）と、支点のネジ止めの穴（７）と、作用点のネジ止めの穴（８）を設け、チェンギア（１２）に、シャフト取り付け穴（１３）と、作用点の二つのネジ穴（１４，１５）と、支点のネジの穴（１６）を設け、クランク取り付けギア（１７）に、作用点のネジの穴（１８）と、シャフト取り付け穴（１９）と、支点のネジの穴（２０）と、作用点のネジの穴（２１）を設け、自転車のフレーム（５）に、シャフト取り付け穴（２２）と、後輪のギア（２４）と、タイヤ（２６）を設け、前記、自転車のフレーム（５）のシャフト取り付け穴（２２）にシャフト（１１）を通して、シャフト（１１）がフリー回転をするようにして設け、シャフト（１１）の片側の端にチェンギアのシャフト取り付け穴（１３）をはめて、チェンギア（１２）を固定して設け、反対のシャフト（１１）の端に、クランク取り付けギア（１７）のシャフト取り付け穴（１９）をはめて、シャフト（１１）にクランク取り付けギア（１７）を固定して設け、チェンギア（１２）の外周の作用点のネジの穴（１４）と、作用点のネジの穴（１５）と、支点のネジの穴（１６）にペタル（１）を設けたクランク（３）の湾曲をしたクランク（２３）を合わせて作用点のネジ止めの穴（６）と、支点のネジ止めの穴（７）と、作用点のネジ止めの穴（８）に、三つのネジ（９，１０，２７）を入れてネジを絞めて、チェンギア（１２）にペタル（１）を設けたクランク（３）を固定して設け、クランク取り付けギア（１７）の作用点のネジの穴（１８）と、支点のネジの穴（２０）と、作用点のネジの穴（２１）にペタル（１）を設けたクランク（３）の湾曲したクランク（２３）を合わせて、作用点のネジ止めの穴（６）と、支点のネジ止めの穴（７）と、作用点のネジ止めの穴（８）に、ネジ（９）と、ネジ（１０）と、ネジ（２７）を入れてネジを絞めて、クランク取り付けギア（１７）に、ペタル（１）を設けたクランク（３）を固定して設け、自転車のフレーム（５）に設けたクランク（３）同士は左右を正反対の方向に向けて設け、自転車のフレーム（５）の前に設けたチェンギア（１２）と、後輪のギア（２４）はチェン（２５）でつないで自転車は完成する．
以上のような構成の長いクランクを設けた自転車の装置。